(57)【特許請求の範囲】
【請求項１】
ゴムに油を含有してなるゴム材料で形成され、ハウジングに形成されたキャビティ内に挿入されて、そのキャビティを液密にシールするゴム栓であって、
円柱状をなす本体部と、
前記本体部の外周面における全周に亘って周方向に延出され、前記キャビティの内壁に密着可能な密着面を有する複数条の横リップと、
前記横リップと交差する配置で前記本体部の外周面に延出され、前記キャビティの内壁に密着可能な密着面を有する複数条の縦リップとを備え、
前記複数条の横リップと前記複数条の縦リップが同一突出高さで格子状に配列されており、かつ、前記隣り合う二条の縦リップの間隔は、前記隣り合う二条の横リップの間隔よりも小さいことを特徴とするゴム栓。
【請求項２】
隣り合う二条の前記横リップと隣り合う二条の前記縦リップとに囲まれてなる油貯留部が周方向に並んで設けられており、前記本体部が前記キャビティ内に挿入されると、前記キャビティの内壁と前記密着面との界面に存在していた前記油は、各リップの圧力によって前記油貯留部に移動し、前記界面に前記油が存在しなくなることを特徴とする請求項１に記載のゴム栓。
【請求項３】
前記縦リップは、前記本体部の軸心に対して平行に延出されていることを特徴とする請求項１または請求項２に記載のゴム栓。
【請求項４】
前記縦リップは、前記本体部の軸心に対して斜め方向に延出されていることを特徴とする請求項１または請求項２に記載のゴム栓。
【請求項５】
前記横リップは、前記本体部における軸線方向の両端部に設けられていることを特徴とする請求項１ないし請求項４のいずれか一項に記載のゴム栓。
【請求項６】
前記本体部における軸線方向の端部に、前記横リップと前記縦リップに先立って前記キャビティ内に挿入される先行挿入部が設けられていることを特徴とする請求項１ないし請求項５のいずれか一項に記載のゴム栓。
【請求項７】
前記先行挿入部は、前記キャビティの内径に適合する径寸法を有する非干渉部を備えて構成され、この非干渉部に前記縦リップが連設されていることを特徴とする請求項６に記載のゴム栓。
【請求項８】
ゴムに油を含有してなるゴム材料で形成され、ハウジングに形成されたキャビティ内に挿入されて、そのキャビティを液密にシールするゴム栓であって、
円柱状をなす本体部と、
前記本体部の外周面において前記本体部の軸心に対して斜め方向に延出され、前記キャビティの内壁に密着可能な密着面を有する複数条の第１縦リップと、
前記第１縦リップと交差する配置で前記本体部の外周面において前記本体部の軸心に対して斜め方向に延出され、前記キャビティの内壁に密着可能な密着面を有する複数条の第２縦リップとを備え、
前記複数条の第１縦リップと前記複数条の第２縦リップが同一突出高さで格子状に配列されており、かつ、前記隣り合う二条の第１縦リップの間隔は、前記隣り合う二条の第２縦リップの間隔とほぼ同じであることを特徴とするゴム栓。
【請求項９】
隣り合う二条の前記第１縦リップと隣り合う二条の前記第２縦リップとに囲まれてなる油貯留部が並んで設けられており、前記本体部が前記キャビティ内に挿入されると、前記キャビティの内壁と前記密着面との界面に存在していた前記油は、各リップの圧力によって前記油貯留部に移動し、前記界面に前記油が存在しなくなることを特徴とする請求項８に記載のゴム栓。
【請求項１０】
請求項１ないし請求項９のいずれか一項に記載のゴム栓はダミー栓であって、前記キャビティのうち端子金具が収容されないキャビティ内に挿入されることを特徴とするダミー栓。
【発明の詳細な説明】
【技術分野】
【０００１】
本発明は、ゴム栓およびダミー栓に関する。
【背景技術】
【０００２】
従来、コネクタハウジングに形成されたキャビティ内に挿入されるゴム栓として、例えば下記特許文献１に記載のものが知られている。このゴム栓は、円筒状をなす本体部分を有し、この本体部分の外周面に複数のシール用突条部が突出して形成されている。隣り合う二条のシール用突条部間には、これらを連結する補強壁が連設されている。この補強壁により、ゴム栓をキャビティ内に斜めに挿入するなどしてシール用突条部がよじれてしまうことを回避できる。
【先行技術文献】
【特許文献】
【０００３】
【特許文献１】特開平１０−２２３３０３号公報
【発明の概要】
【発明が解決しようとする課題】
【０００４】
しかしながら、シール用突条部が補強壁よりも突出しているため、シール用突条部と補強壁の間に段差が形成され、各シール用突条部をキャビティ内に挿入するたびに、挿入力が一時的に高くなってしまう。これでは、ゴム栓をキャビティ内に円滑に挿入することができなくなる。
【０００５】
なお、補強壁をキャビティの内壁に当接する高さに形成した場合であっても、この補強壁はあくまで補助的なリップにすぎず、補強壁の突出高さがシール用突条部の突出高さよりも小さいことに変わりはない。また、隣り合う二条のシール用突条部の間隔よりも隣り合う二条の補強壁の間隔のほうが大きいため、隣り合う二条のシール用突条部間に配置できる補強壁の数が小さくなる。したがって、隣り合うシール用突条部間で挿入力が低下し、円滑な挿入動作を実現することはできない。
【０００６】
本発明は上記のような事情に基づいて完成されたものであって、円滑な挿入動作を確保することを目的とする。
【課題を解決するための手段】
【０００７】
本発明は、ゴムに油を含有してなるゴム材料で形成され、ハウジングに形成されたキャビティ内に挿入されて、そのキャビティを液密にシールするゴム栓であって、円柱状をなす本体部と、本体部の外周面における全周に亘って周方向に延出され、キャビティの内壁に密着可能な密着面を有する複数条の横リップと、横リップと交差する配置で本体部の外周面に延出され、キャビティの内壁に密着可能な密着面を有する複数条の縦リップとを備え、複数条の横リップと複数条の縦リップが同一突出高さで格子状に配列されており、かつ、隣り合う二条の縦リップの間隔は、隣り合う二条の横リップの間隔よりも小さい構成としたところに特徴を有する。
【０００８】
このような構成によると、複数条の横リップによってキャビティ内が防水される。また、複数条の横リップと複数条の縦リップとが同一突出高さで形成されており、かつ、隣り合う二条の横リップ間に複数の縦リップを配置しているため、各横リップをキャビティ内に挿入するたびに、挿入力が一時的に高くなることを回避できる。すなわち、横リップよりも縦リップを多く配置することができるため、隣り合う二条の横リップ間で一時的に挿入力が低下することを回避できる。したがって、挿入力の増減を抑制し、円滑な挿入動作（挿入力が緩やかに上昇していくような挿入動作）を確保できる。
【０００９】
本発明の実施の態様として、以下の構成が好ましい。
隣り合う二条の横リップと隣り合う二条の縦リップとに囲まれてなる油貯留部が周方向に並んで設けられており、本体部がキャビティ内に挿入されると、キャビティの内壁と密着面との界面に存在していた油は、各リップの圧力によって油貯留部に移動し、界面に油が存在しなくなる構成としてもよい。
【００１０】
一般に、ゴム栓の表面は、キャビティ内に挿入される前からオイルブリードされた状態（油がにじみ出た状態）となっており、このブリードしている油がキャビティの内壁と密着面との界面に存在することによって低挿入力化が図られている。一方、ゴム栓をキャビティに挿入した後は、ゴム栓自身の弾性に基づく圧力によって前記界面に存在していた油が油貯留部に移動し、前記界面に油がなくなった状態となるため、高い保持力を得ることができる。したがって、挿入抵抗を大きくすることなく十分な保持力と防水性能の両立を図ることができる。
【００１１】
縦リップは、本体部の軸心に対して平行に延出されている構成としてもよい。
このような構成によると、ゴム栓をキャビティ内に対して縦リップの延出方向に沿って真っ直ぐ挿入した際に、縦リップの挿入抵抗が大きくなる方向に作用しないため、円滑な挿入動作を確保できる。
【００１２】
縦リップは、本体部の軸心に対して斜め方向に配置されている構成としてもよい。
このような構成によると、ゴム栓をキャビティ内に対して縦リップの延出方向に沿って回しながら挿入した際に、縦リップの挿入抵抗が大きくなる方向に作用しないため、円滑な挿入動作を確保できる。
【００１３】
横リップは、本体部における軸線方向の両端部に設けられている構成としてもよい。
このような構成によると、横リップと縦リップが交差する箇所を少なくできるため、ゴム栓を成形する金型の形状を簡素化できる。
【００１４】
本体部における軸線方向の端部に、横リップと縦リップに先立ってキャビティ内に挿入される先行挿入部が設けられている構成としてもよい。
このような構成によると、先行挿入部を予めキャビティ内に挿入しておくことができるため、ゴム栓をキャビティ内に挿入しやすくなる。
【００１５】
先行挿入部は、キャビティの内径に適合する径寸法を有する非干渉部を備えて構成され、この非干渉部に縦リップが連設されている構成としてもよい。
このような構成によると、非干渉部とキャビティの内壁が非干渉となるため、先行挿入部をキャビティ内に挿入する際の挿入抵抗を小さくできる。
【００１６】
また、本発明は、ゴムに油を含有してなるゴム材料で形成され、ハウジングに形成されたキャビティ内に挿入されて、そのキャビティを液密にシールするゴム栓であって、円柱状をなす本体部と、本体部の外周面において本体部の軸心に対して斜め方向に延出され、キャビティの内壁に密着可能な密着面を有する複数条の第１縦リップと、第１縦リップと交差する配置で本体部の外周面において本体部の軸心に対して斜め方向に延出され、キャビティの内壁に密着可能な密着面を有する複数条の第２縦リップとを備え、複数条の第１縦リップと複数条の第２縦リップが同一突出高さで格子状に配列されており、かつ、隣り合う二条の第１縦リップの間隔は、隣り合う二条の第２縦リップの間隔とほぼ同じである構成としてもよい。
このような構成によると、第１縦リップと第２縦リップの双方で防水性能を担保することができるため、防水性能を向上させることができる。
【００１７】
また、隣り合う二条の第１縦リップと隣り合う二条の第２縦リップとに囲まれてなる油貯留部が並んで設けられており、本体部がキャビティ内に挿入されると、キャビティの内壁と密着面との界面に存在していた油は、各リップの圧力によって油貯留部に移動し、界面に油が存在しなくなる構成としてもよい。
【００１８】
上記のゴム栓はダミー栓であって、キャビティのうち端子金具が収容されないキャビティ内に挿入される構成としてもよい。すなわち、本発明のゴム栓をダミー栓に適用することができる。
【発明の効果】
【００１９】
本発明によれば、円滑な挿入動作を確保することができる。
【図面の簡単な説明】
【００２０】
【図１】実施形態１におけるダミー栓の斜視図
【図２】ダミー栓の正面図
【図３】ダミー栓をキャビティ内へ浅く挿入した状態を側方から見た断面図
【図４】図３の状態よりもダミー栓を深く挿入した状態を側方から見た断面図
【図５】図４の状態よりもダミー栓を深く挿入した状態を側方から見た断面図
【図６】実施形態２におけるダミー栓の斜視図
【図７】ダミー栓の正面図
【図８】ダミー栓をキャビティ内へ浅く挿入した状態を側方から見た断面図
【図９】図８の状態よりもダミー栓を深く挿入した状態を側方から見た断面図
【図１０】図９の状態よりもダミー栓を深く挿入した状態を側方から見た断面図
【図１１】実施形態３におけるダミー栓の斜視図
【図１２】ダミー栓をキャビティ内へ深く挿入した状態を側方から見た断面図
【図１３】実施形態４におけるダミー栓の斜視図
【図１４】ダミー栓の正面図
【図１５】ダミー栓をキャビティ内へ深く挿入した状態を側方から見た断面図
【図１６】実施形態５におけるダミー栓の斜視図
【図１７】ダミー栓をキャビティ内へ深く挿入した状態を側方から見た断面図
【発明を実施するための形態】
【００２１】
＜実施形態１＞
本発明の実施形態１を図１ないし図５の図面を参照しながら説明する。本実施形態のダミー栓１０は、図１に示すように、円柱状をなす本体部１１と、本体部１１の外周面における全周に亘って突出して形成された横リップ１２と、横リップ１２と交差する配置で本体部１１の外周面に延出された縦リップ１３とを備えて構成されている。このダミー栓１０は、ゴムに油を含有してなるゴム材料で形成されている。また、ダミー栓１０は、ハウジング（図示せず）に形成された円孔形状のキャビティＣのうち端子金具（図示せず）が収容されないキャビティＣに挿入されて、そのキャビティＣを液密にシールするためのものである。なお、本体部１１は、キャビティＣの内径よりもやや小さめに形成されている。
【００２２】
本体部１１の軸線方向における両端部には、キャビティＣの内径よりも小さめの径寸法を有する先行挿入部１４が形成されている。先行挿入部１４は本体部１１と同軸で配置され、本体部１１よりも一回り小さめの略円柱状をなす小径部１４Ａと、小径部１４Ａから本体部１１に向けて径寸法が大きくなる形状の誘導部１４Ｂとからなる。なお、小径部１４Ａの端縁部１４Ｃは、図２に示すように、全周に亘って面取りされている。これにより、ダミー栓１０をキャビティＣに挿入する際に、小径部１４Ａの端縁部１４Ｃによって先行挿入部１４がキャビティＣ内に案内され、続いて誘導部１４Ｂにより先行挿入部１４がキャビティＣ内へ案内される。
【００２３】
横リップ１２は詳細には、本体部１１の軸線方向における両端部に形成された２条の主リップ１２Ａと、これらの主リップ１２Ａ間に配置された複数条の副リップ１２Ｂとからなる。主リップ１２Ａは、副リップ１２Ｂよりも幅広に形成されている。前記した誘導部１４Ｂは、主リップ１２Ａに連なる形態とされている。両リップ１２Ａ，１２Ｂの本体部１１の外周面からの突出高さはいずれも同一で、かつ、ダミー栓１０をキャビティＣ内に挿入した際にキャビティＣの内壁に接触可能に設定されている。これにより、両リップ１２Ａ，１２Ｂはいずれも、図３ないし図５に示すように、キャビティＣの内壁に対して全周方向に亘って密着可能とされている。なお、以下においては各リップ１２Ａ，１２Ｂをまとめて横リップ１２という場合がある。
【００２４】
縦リップ１３は、本体部１１の軸心に対して平行に延出されており、縦リップ１３の両端部がそれぞれ主リップ１２Ａに連結されている。このため、縦リップ１３は、複数条の副リップ１２Ｂに直交する配置とされている。また、縦リップ１３は、副リップ１２Ｂよりもやや幅広で、主リップ１２Ａよりも幅狭とされている。縦リップ１３の本体部１１の外周面からの突出高さは、横リップ１２の突出高さと同一に設定されている。すなわち、縦リップ１３の突出端は、横リップ１２の突出端と面一に設定されている。これにより、縦リップ１３は、横リップ１２と同様に、キャビティＣの内壁に対して密着可能とされている。さらに、両リップ１２，１３のキャビティＣの内壁に対する圧力は同一に設定されている。なお、ダミー栓１０の防水性能は横リップ１２によって担保されており、ダミー栓１０をキャビティＣ内に保持しておく保持力は横リップ１２と縦リップ１３とによって担保されている。
【００２５】
さて、複数条の横リップ１２と複数条の縦リップ１３は、格子状に配列されているため、隣り合う二条の横リップ１２と隣り合う二条の縦リップ１３とに囲まれてなる油貯留部１５が周方向と軸線方向とに並んで複数設けられている。ダミー栓１０をキャビティＣ内に挿入すると、油貯留部１５とキャビティＣの内壁とに囲まれた密室空間が形成され、この密室空間に、油が液密に貯留されることになる。すなわち、各リップ１２，１３は、それぞれキャビティＣの内壁に密着可能な密着面を有しており、これらの密着面とキャビティＣの内壁との界面に存在していた油が各リップ１２，１３からの圧力によって油貯留部１５に移動することになる。この結果、前記界面に油が存在しなくなり、各密着面とキャビティＣの内壁とが直接接触することで、ダミー栓１０をキャビティＣ内に保持しておくための保持力を高めることができる。なお、ダミー栓１０をキャビティＣ内に挿入する際には、各リップ１２，１３の表面にブリードした油が前記界面に存在しているため、挿入抵抗が大きくなることはなく、十分な保持力と防水性能の両立を図ることができる。
【００２６】
ここで、両リップ１２，１３は同一突出高さで形成されているため、縦リップ１３のキャビティＣの内壁に対する密着力と、横リップ１２のキャビティＣの内壁に対する密着力とは、同一とされている。すなわち、両リップ１２，１３のキャビティＣの内壁に対する圧力は等しくなる。さらに、隣り合う二条の縦リップ１３の間隔が隣り合う二条の横リップ１２の間隔よりも小さいため、隣り合う二条の横リップ１２間に多くの縦リップ１３を密集して配置できる。このため、ダミー栓１０をキャビティＣ内に挿入するときに、隣り合う二条の横リップ１２間で挿入力が低下することを回避できる。したがって、横リップ１２をキャビティＣ内に挿入するたびに、挿入力が一時的に高くなることを回避できる。よって、円滑な挿入動作を実現することができる。ここでいう円滑な挿入動作とは、ダミー栓１０をキャビティＣ内に挿入していくにしたがって、挿入力がだんだん高くなるような挿入動作のことをいう。
【００２７】
本実施形態は以上のような構成であって、続いてその作用を説明する。まず、ダミー栓１０の先行挿入部１４を両リップ１２，１３に先立ってキャビティＣ内に挿入する。このとき、キャビティＣの開口縁部が先行挿入部１４の端縁部１４Ｃおよび誘導部１４Ｂに接触することでダミー栓１０の挿入動作が案内される。次に、図３に示すように、主リップ１２ＡをキャビティＣの内壁に摺接させながらダミー栓１０をキャビティＣ内に挿入し、図４に示すように、副リップ１２Ｂと縦リップ１３をキャビティＣの内壁に摺接させながらダミー栓１０をキャビティＣ内に挿入していく。引き続き、ダミー栓１０をキャビティＣ内に挿入していくと、図５に示すように、ダミー栓１０の半分以上がキャビティＣ内に挿入された状態になる。
【００２８】
ダミー栓１０がキャビティＣ内に挿入されると、各リップ１２，１３の表面にブリードした油が、各リップ１２，１３の圧力によって、各リップ１２，１３の密着面とキャビティＣの内壁との界面から油貯留部１５に移動する。各油貯留部１５に貯留された油は、密室空間に収容されているため、周方向および軸線方向に隣り合う各油貯留部１５間で流動することはない。一方、ダミー栓１０をキャビティＣ内に挿入する際には、各リップ１２，１３の表面にブリードした油が、各リップ１２，１３とキャビティＣの内壁との界面で潤滑油として機能するため、各リップ１２，１３とキャビティＣの内壁との間に生じる摩擦力を増加させないで済む。このため、縦リップ１３のキャビティＣの内壁に対する圧力を、横リップ１２のキャビティＣの内壁に対する圧力と同一に設定することが可能になる。
【００２９】
さらに、横リップ１２と縦リップ１３の双方を同じ圧力でキャビティＣの内壁に密着させているから、実質的に横リップ１２のみをキャビティＣの内壁に密着させるよりも、キャビティＣ内に収容された状態におけるダミー栓１０の保持力を大きくすることができる。したがって、キャビティＣ内に大きな内圧が加圧された場合であっても、ダミー栓１０がキャビティＣ内から外部に飛び出すことを規制できる。さらに、当然のことながら、外部からキャビティＣ内に水が浸入することを規制する防水性能を向上できる。
【００３０】
このように本実施形態によると、ダミー栓１０をキャビティＣ内に挿入する際の挿入抵抗を大きくすることなく十分な保持力と防水性能の両立を図ることができる。また、縦リップ１３を本体部１１の軸心に対して平行に延出しているため、ダミー栓１０をキャビティＣ内に対して真っ直ぐに（本体部１１の軸線方向に）挿入することで、縦リップ１３とキャビティＣの内壁との間で大きな摩擦力が発生することを回避できる。さらに、隣り合う二条の横リップ１２間に縦リップ１３が同一突出高さで設けられているため、横リップ１２をキャビティＣ内に挿入するたびに挿入抵抗が一時的に大きくなることを回避し、円滑な挿入動作を確保することができる。これらに加えて、先行挿入部１４を設けたから、ダミー栓１０をキャビティＣ内に挿入する際の案内をすることができる。
【００３１】
＜実施形態２＞
次に、本発明の実施形態２を図６ないし図１０の図面を参照しながら説明する。本実施形態におけるダミー栓２０は、図６に示すように、実施形態１の主リップ１２Ａをなくしたものであって、その他の構成については同じである。このため、実施形態１と同じ構成については十の位を１から２に変更した符号を用いるものとし、実施形態１と重複する構成、作用、および効果についてはその説明を省略するものとする。
【００３２】
本実施形態の横リップ２２は、複数条の副リップ２２Ｂのみからなり、実施形態１における主リップ１２Ａに対応する横リップを備えていない。その代わりに実施形態１の主リップ１２Ａが形成されていた領域には、本体部２１の外周面が露出した非干渉部２６が形成されている。この非干渉部２６は、キャビティＣの内径に適合する（キャビティＣの内径とほぼ同じかこれよりやや小さめとなる）径寸法を有している。したがって、図７に示すように、本体部２１の軸線方向における端部に、縦リップ２３の端部が露出し、この縦リップ２３に非干渉部２６が連設されている。
【００３３】
本実施形態は以上のような構成であって、続いてその作用を説明する。まず、図８に示すように、先行挿入部２４をキャビティＣ内に挿入すると、非干渉部２６がキャビティＣの内壁と非干渉の状態で（非干渉部２６とキャビティＣの内壁との間で摩擦力を発生させることなく）キャビティＣ内に進入する。このため、先行挿入部２４をキャビティＣに挿入する際に大きな挿入抵抗が発生しないようにすることができる。次に、図９に示すように、縦リップ２３をキャビティＣの内壁に摺接させながらダミー栓２０をキャビティＣ内に挿入する。引き続き、縦リップ２３と横リップ２２の双方をキャビティＣの内壁に摺接させながらダミー栓２０をキャビティＣ内に挿入していくと、図１０に示すように、ダミー栓２０の半分以上がキャビティＣ内に挿入された状態になる。
【００３４】
このように本実施形態によると、ダミー栓２０の挿入初期、すなわち先行挿入部２４をキャビティＣ内に挿入する際には、ほとんど挿入抵抗を生じさせないものの、本体部２１の端部に配設された縦リップ２３をキャビティＣ内に挿入する際に、初めて挿入抵抗を生じさせることになる。しかしながら、縦リップ２３は、横リップ２２のように全周に亘って形成されておらず、横リップ２２をキャビティＣ内に挿入する際に生じる挿入抵抗よりも小さめの挿入抵抗を生じさせるにすぎない。つまり、本実施形態によると、実施形態１とは異なり、まず、縦リップ２３による小さめの挿入抵抗を生じさせた後に横リップ２２による大きめの挿入抵抗を生じさせることになるため、挿入抵抗を徐々に大きくすることができる。このため、実施形態１よりも円滑な挿入動作を確保することができる。
【００３５】
＜実施形態３＞
次に、本発明の実施形態３を図１１および図１２の図面を参照しながら説明する。本実施形態におけるダミー栓３０は、図１１に示すように、実施形態１の横リップ１２の形状と縦リップ１３の形状を変更したものであって、その他の構成は同じである。このため、実施形態１と同じ構成については十の位を１から３に変更した符号を用いるものとし、実施形態１と重複する構成、作用、および効果についてはその説明を省略するものとする。
【００３６】
本実施形態の横リップ３２は、二条の主リップ３２Ａのみからなり、実施形態１における副リップ１２Ｂに対応する横リップを備えていない。また、本実施形態の縦リップ３３はスパイラル状をなし、本体部３１の軸心に対して斜め方向に延出して形成されている。縦リップ３３の両端部はそれぞれ、二条の主リップ３２Ａに接続されており、二条の主リップ３２Ａ間に複数条の縦リップ３３が並設されている。ダミー栓３０の防水性能は横リップ３２によって担保されており、ダミー栓３０をキャビティＣ内に保持しておく保持力は横リップ３２と縦リップ３３とによって担保されている。
【００３７】
このような構成によると、ダミー栓３０をキャビティＣ内に対して縦リップ３３の延出方向に沿って回しながら挿入することで、縦リップ３３のキャビティＣの内壁に対する挿入抵抗を大きくすることなく、円滑な挿入動作を確保できる。また、図１２に示すように、横リップ３２に続けて、縦リップ３３をキャビティＣ内に挿入することができ、円滑な挿入動作を確保できる。さらに、複数条の縦リップ３３がキャビティＣの内壁に密着することにより、十分な保持力を得ることができる。
【００３８】
＜実施形態４＞
次に、本発明の実施形態４を図１３ないし図１５の図面を参照しながら説明する。本実施形態におけるダミー栓４０は、図１３ないし図１５に示すように、実施形態２の横リップ２２の形状と縦リップ２３の形状を変更したものであって、その他の構成は同じである。このため、実施形態２と同じ構成については十の位を２から４に変更した符号を用いるものとし、実施形態２と重複する構成、作用、および効果についてはその説明を省略するものとする。
【００３９】
本実施形態のダミー栓４０は、実施形態２の横リップ２２の代わりに設けられた第１縦リップ４２と、実施形態２の縦リップ２３に相当する第２縦リップ４３とを備えて構成されている。第１縦リップ４２は、本体部４１の軸心に対して斜め方向に延出して形成されている。一方、第２縦リップ４３は、第１縦リップ４２と交差し、かつ、本体部４１の軸心に対して斜め方向に延出して形成されている。複数条の第１縦リップ４２と複数条の第２縦リップ４３とを格子状に配列することで、隣り合う二条の第１縦リップ４２と隣り合う二条の第２縦リップ４３とに囲まれてなる油貯留部４５が形成されている。また、隣り合う二条の第１縦リップ４２の間隔と隣り合う二条の第２縦リップ４３の間隔とはほぼ同じに設定されている。
【００４０】
このような構成によると、第１縦リップ４２と第２縦リップ４３の双方によって防水性能が担保されるため、防水性能を向上させることができる。すなわち、実施形態２のように横リップ２２と縦リップ２３とからなる構成とした場合、横リップ２２のみによって防水性能が担保され、縦リップ２３によって防水性能を担保することができないところ、本実施形態では縦リップ２３に相当する第２縦リップ４３によっても防水性能を担保することができる。
【００４１】
＜実施形態５＞
次に、本発明の実施形態５を図１６および図１７の図面を参照しながら説明する。本実施形態におけるダミー栓５０は、図１６および図１７に示すように、実施形態３の縦リップ３３の形状を変更したものであって、その他の構成は同じである。このため、実施形態３と同じ構成については十の位を３から５に変更した符号を用いるものとし、実施形態３と重複する構成、作用、および効果についてはその説明を省略するものとする。
【００４２】
本実施形態のダミー栓５０では、縦リップ５３が本体部５１の軸心に対して平行に延出して形成されている。一般に、ダミー栓５０などのゴム材料は射出成形によって形成され、型抜きする際には、成形されたダミー栓５０を撓ませながら引き抜く方法（いわゆる無理抜き）によって行われる。その点、本実施形態では縦リップ５３の延出方向が型抜き方向と一致しており、横リップ５２が縦リップ５３の両側に配置されているだけであるため、極めて簡易な構成とされている。このため、ダミー栓５０を成形する成形型の構成を簡素化することができるとともに、油貯留部５５を成形する部分の型抜きが容易になる。
【００４３】
＜他の実施形態＞
本発明は上記記述及び図面によって説明した実施形態に限定されるものではなく、例えば次のような実施形態も本発明の技術的範囲に含まれる。
（１）上記実施形態ではダミー栓に適用した例を示しているものの、本発明によると、内部に電線が挿通されるパッキンに適用してもよい。
（２）上記実施形態では先行挿入部を設けているものの、本発明によると、先行挿入部が設けられていないダミー栓としてもよい。
【符号の説明】
【００４４】
１０，２０，３０，４０，５０…ダミー栓（ゴム栓）
１１，２１，３１，４１，５１…本体部
１２，２２，３２，５２…横リップ
１３，２３，３３，５３…縦リップ
１４，２４，３４，４４，５４…先行挿入部
１５，２５，３５，４５，５５…油貯留部
４２…第１縦リップ
４３…第２縦リップ
２６，４６…非干渉部
Ｃ…キャビティ
【図１】
0005471947.tif 000002
【図２】
0005471947.tif 000003
【図３】
0005471947.tif 000004
【図４】
0005471947.tif 000005
【図５】
0005471947.tif 000006
【図６】
0005471947.tif 000007
【図７】
0005471947.tif 000008
【図８】
0005471947.tif 000009
【図９】
0005471947.tif 000010
【図１０】
0005471947.tif 000011
【図１１】
0005471947.tif 000012
【図１２】
0005471947.tif 000013
【図１３】
0005471947.tif 000014
【図１４】
0005471947.tif 000015
【図１５】
0005471947.tif 000016
【図１６】
0005471947.tif 000017
【図１７】
0005471947.tif 000018